(57)【要約】【課題】販売機内部に確保している釣り銭の有無の状況を商品購入者に適切に明示することで、商品販売（購入）に必要な商品購入者の行動をアシストし、これによって、商品販売の機会を逃すことを防止するに好適な簡易な構成の自動販売機の金銭処理装置を提供する。【解決手段】釣り銭として払い出し可能な金銭の有無を金種毎にそれぞれ判定する釣銭有無判定手段と、複数の金種のそれぞれ対応して設けられて釣銭有無判定手段の判定結果を受けてそれぞれ表示形態を変えて択一的に表示駆動される複数の表示器を備える。【選択図】　　　図３
2004054430.tif 000002
【特許請求の範囲】
【請求項１】
釣り銭として払い出し可能な金銭の有無を金種毎にそれぞれ判定する釣銭有無判定手段と、
複数の金種のそれぞれ対応して設けられて前記釣銭有無判定手段の判定結果を受けてそれぞれ表示駆動され、金種毎にその使用を許可する旨を示す第１の表示形態、釣り銭切れに起因してその使用が制限される旨を示す第２の表示形態、および釣り銭切れに起因してその使用が禁止される旨を示す第３の表示形態に択一的に表示設定される複数の表示器と
を備えたことを特徴とする自動販売機。
【請求項２】
釣り銭として払い出し可能な金銭の有無を金種毎にそれぞれ判定する釣銭有無判定手段と、
複数の金種のそれぞれ対応して設けられて前記釣銭有無判定手段の判定結果を受けてそれぞれ表示駆動され、金種毎にその釣り銭がある旨を示す第１の表示形態、釣り銭切れを示す第２の表示形態、および釣り銭切れに起因してその使用が禁止される旨を示す第３の表示形態に択一的に表示設定される複数の表示器と
を備えたことを特徴とする自動販売機。
【請求項３】
請求項１または２に記載の自動販売機において、
更に前記釣銭有無判定手段の判定結果として、特定の金種による釣り銭の払い出しができないことが示されたとき、その旨をガイダンスとして出力するガイダンス機能を備えることを特徴とする自動販売機。
【請求項４】
請求項１から３のいずれかに記載の自動販売機において、
販売許可されていない商品が指定されたとき、当該商品の販売価格と前記釣銭有無判定手段の判定結果とに応じて、上記指定商品の販売を可能とする金銭の投入形態をガイダンスとして出力するガイダンス機能を備えることを特徴とする自動販売機。
【発明の詳細な説明】
【０００１】
【発明の属する技術分野】
本発明は、自動販売機で販売される商品を購入するにあたり、その購入の利便性を向上させた簡易な構成の自動販売機に関する。
【０００２】
【関連する背景技術】
一般的に自動販売機の前扉の正面には、紙幣および硬貨の投入口が設けられている。この自動販売機で販売される商品の購入者は、上記各投入口に商品購入のために必要な金額を投入する。このとき、該商品の販売価格よりも自動販売機に投入された金額が多い場合、自動販売機に内蔵されている金銭処理装置は、その差額を算出して購入者に釣り銭として払い戻す。
【０００３】
この釣り銭を確保するため、自動販売機内には、複数種の金種を分類して保持する釣り銭収納部が設けられている。そして、この釣り銭収納部は、複数の金種に対して、それぞれ予め定められた一定量の釣り銭額を下回ると釣り銭切れとして金銭処理装置に通知するよう構成されている。
このような構成の自動販売機にあっては、釣り銭切れが生じた場合、金銭処理装置が自動販売機の前扉に設けられた釣り銭切れ表示器を駆動する。この釣り銭切れ表示器は、絵によるピクト表示や、釣り銭切れランプ等により構成されている。
【０００４】
【発明が解決しようとする課題】
このような自動販売機に釣り銭切れが生じた場合、購入する商品の販売価格を上回る金額を商品購入者が自動販売機に投入したとしても、自動販売機の商品見本近傍に設けられている販売可の表示ランプが点灯しないことがある（販売不可）。例えば、１０円硬貨が釣り銭切れしたとき、２６０円の商品を購入すべく商品購入者が１００円硬貨３枚を投入しても、１０円硬貨の釣り銭切れのため販売することができない等の場合である。
【０００５】
このため、釣り銭切れ表示の意味をよく理解できない商品購入者は、売り切れランプが表示されていない商品であるにもかかわらず、何故販売されないのかという疑問を持つ懸念がある。あるいは商品購入者が、該自動販売機が故障であると誤認する虞もある。このような事態は、販売側にとって商品の販売機会を逃すことにもなる。
【０００６】
本発明は、このような事情を考慮してなされたもので、その目的は、販売機内部に確保している釣り銭の有無の状況を商品購入者に適切に明示することで商品販売（購入）に必要な商品購入者の行動をアシストし、これによって、商品販売の機会を逃すことを防止するに好適な簡易な構成の自動販売機の金銭処理装置を提供することにある。
【０００７】
【課題を解決するための手段】
前述した目的を達成するため、釣り銭として払い出し可能な金銭の有無を金種毎にそれぞれ判定する釣銭有無判定手段と、複数の金種のそれぞれ対応して設けられて前記釣銭有無判定手段の判定結果を受けてそれぞれ表示駆動され、金種毎にその使用を許可する旨を示す第１の表示形態、釣り銭切れに起因してその使用が制限される旨を示す第２の表示形態、および釣り銭切れに起因してその使用が禁止される旨を示す第３の表示形態に択一的に表示設定される複数の表示器とを備えている。
【０００８】
或いは、この自動販売機は、釣り銭として払い出し可能な金銭の有無を金種毎にそれぞれ判定する釣銭有無判定手段と、複数の金種のそれぞれ対応して設けられて前記釣銭有無判定手段の判定結果を受けてそれぞれ表示駆動され、金種毎にその釣り銭がある旨を示す第１の表示形態、釣り銭切れを示す第２の表示形態、および釣り銭切れに起因してその使用が禁止される旨を示す第３の表示形態に択一的に表示設定される複数の表示器とを備えている。
【０００９】
更にこの自動販売機は、前記釣銭有無判定手段の判定結果として、特定の金種による釣り銭の払い出しができないことが示されたとき、その旨をガイダンスとして出力するガイダンス機能を備えている。
好ましくは、この自動販売機において、販売許可されていない商品が指定されたとき、当該商品の販売価格と前記釣銭有無判定手段の判定結果とに応じて、上記指定商品の販売を可能とする金銭の投入形態をガイダンスとして出力するガイダンス機能を備えることが望ましい。
【００１０】
したがって、本発明によれば紙幣および硬貨の金種毎に、使用可能または使用不可の表示をすると共に、商品を購入するために必要な金種を表示するので、販売機で商品を購入することができる金種を購入者に確実に伝え、商品販売の機会を逃すことを防止することができる。
【００１１】
【発明の実施の形態】
以下、図面を参照して本発明に係る自動販売機について説明する。
この実施形態に係る自動販売機は、概略的には図１にその概略構成図を示すように、販売機１の前扉２の前面に設けられた紙幣投入口３と硬貨投入口４の近傍に後述する表示部１１およびガイダンス表示部１２とを備えている。
【００１２】
自動販売機の商品購入者は、この表示部１１およびガイダンス表示部１２とに表示された情報を確認して商品の購入に必要な金額を投入する。すると、商品見本展示棚５に展示された各商品見本Ｓの近傍に設けた販売可能ランプ（図示せず）が点灯する。商品購入者は、このランプを確認して購入したい商品見本Ｓの近傍に設けられた商品選択釦６を押下する。すると、商品払出口７に該商品が払い出されるので、商品購入者は所望の商品を購入することができる。
【００１３】
この場合、販売機１に投入された金額が販売商品の販売価格を上回っている場合には、該販売機１に内蔵されている金銭処理装置（図示せず）により差額が計算され釣り銭として返却口８から払い出される。
基本的には上述した如く構成された販売機１において、この発明が特徴とするところは、販売機１が取り扱い可能な金種を金種毎に表示する金種別表示部１１と、釣り銭切れに起因して販売ができない商品に対して販売を可能とする金種の投入形態を表示するガイダンス表示部１２とを設けた点にある。
【００１４】
この自動販売機１には、図２にそのブロック構成を示すように、釣り銭の残量が予め定めた一定以上の量であるかどうかを検出する釣銭検出部１３が複数の金種毎にそれぞれ設けられている。この釣銭検出部１３が検出した釣り銭の有無情報は、釣銭有無判定手段（ＣＰＵ）１４に与えられる。そして、後述するように金種毎にその使用の許可／制限／禁止をＣＰＵ１４が判断する。
【００１５】
また、販売機１の前扉２には、紙幣投入口３と、硬貨投入口４とが設けられている。そして、それぞれの投入口から投入された金額を計数する紙幣・硬貨検出部１５が設けられている。この投入金の計数情報は、ＣＰＵ１４に与えられ、商品見本に対応して設けられた販売可の表示器が選択的に点灯駆動される。また、商品選択釦６の押下情報も前記ＣＰＵ１４に与えられるようになっている。そして、販売可の表示がなされた商品選択釦６の押下時には該当商品を払い出し、必要に応じて釣り銭を払い出す。
【００１６】
一方、ＣＰＵ１４は、前記各情報に基づき販売機１の前扉２に設けられた金種別表示部１１およびガイダンス表示部１２をそれぞれ駆動制御する。
この金種別表示部１１は、詳しくは、図３にその正面要部拡大図を示すように硬貨および紙幣の種類（金種）毎に用意された金種別表示器１１ａ〜ｇを備えている。また、表示部１１は、前述したＣＰＵ１４の判断結果を受けて、金種毎に使用の許可／制限／中止を表示するものである。詳細は後述するが、表示器１１は、例えば使用を許可した金種の表示器１１を緑色点灯にしたり、釣り銭切れに起因してその使用を制限する金種の表示器１１を赤色点灯にしたり、或いはその使用を禁止する金種の表示器１１については、その表示を消灯する等作動する。
【００１７】
また、金種別表示部１１には、釣り銭切れの金種を文字情報として表示するガイダンス表示部１２が設けられている。このガイダンス表示部１２は、釣り銭切れした金種毎にその金種を文字表示するものであり、商品購入者が視覚的に理解し易くなるように構成されている。
或いは、後述するように釣り銭切れに起因して、商品購入者が投入金種を選択しないと商品が購入できない場合、ＣＰＵ１４は、この商品を販売可能とする金銭の投入形態（金種）をガイダンス表示部１２にガイダンス情報として表示するよう構成されている。
【００１８】
このような釣り銭状況表示部１１およびガイダンス表示部１２を備えた販売機１の機能を、更に図４にその動作を示すフローチャートを基に詳細に説明する。
まず、ＣＰＵ１４は、販売機１の釣り銭収容部（図示せず）に収納されている金種の釣り銭の有無情報から、販売機１が現在取り扱い可能な金種を表示器１１に表示する（ステップＳ１）。このステップ１の表示器の点灯制御は、図５にＣＰＵ１４の動作を示す表示灯制御ルーチンのフローチャートを参照すると、まずＣＰＵ１４は、１０円硬貨の釣銭検出部１３ａが検出した釣り銭の有無情報を判断する（ステップＳＵＢ１）。
【００１９】
この釣銭検出部１３が行う釣り銭の有無判断は、具体的には、例えば１０円硬貨を釣り銭として払い出す為には９枚以上保持していればよい。しかし、実際には硬貨の曲がりなどを考慮して釣り銭収容部に１１枚以上の硬貨が収容されているか否を判定している。尚、この釣り銭として自動販売機が最低限保有すべき釣り銭の枚数設定は本発明の趣旨とは異なるためこれ以上詳細には述べないこととする。
【００２０】
さて、１０円硬貨の釣り銭が無い（不足）場合、ＣＰＵ１４は、５０円、１００円、５００円（新、旧）の各硬貨の表示灯１１ｂ〜１１ｅおよび１０００円札と２０００円札の各表示灯１１ｆ、１１ｇをそれぞれ赤色点灯（使用制限）に設定する（ステップＳＵＢ２）。この使用制限は、商品を購入する際、釣り銭を生じないように金種を選択して投入すれば、商品が購入可能（販売機１が取り扱い可能）であることを意味するものである。
【００２１】
一方、１０円硬貨の釣り銭がある場合、ＣＰＵ１４は、更に１００円硬貨の釣り銭の有無を１００円硬貨の釣り銭検出部１３ｃの情報から判断する（ステップＳＵＢ３）。１００円硬貨が釣り銭切れであるとＣＰＵ１４が判断した場合、５０円と１００円の各硬貨の表示灯１１ｂ、１１ｃを緑色点灯にすると共に、５００円（新、旧）の各硬貨および１０００円札と２０００円札の使用を禁止すべく、それぞれの表示灯１１ｄ〜１１ｇを消灯する（ステップＳＵＢ４）。
【００２２】
一方、ステップＳＵＢ３で１００円硬貨の釣り銭がある場合、ＣＰＵ１４は、更に５００円硬貨の釣り銭切れおよび１０００円札の釣り銭切れをそれぞれの釣り銭検出部１３ｄ、１３ｅの情報から判断する（ステップＳＵＢ５、ＳＵＢ６）。そして、ステップＳＵＢ２、ＳＵＢ５、ＳＵＢ６のいずれかで釣り銭がないとＣＰＵ１４が判断したときは、２０００円札の使用が不可であるので表示灯１１ｇを消灯する（ステップＳＵＢ７）。
【００２３】
ステップＳＵＢ６で、釣り銭切れが検出できなかった場合、全ての金種で販売が可能であるので、ＣＰＵ１４は、全ての表示灯１１ａ〜１１ｇを緑色の点灯に設定する。
上述した手順により販売機１の前扉２の表示器１１に、この販売機１が取り扱い可能な金種（商品を購入することができる）紙幣および硬貨が第１の表示形態（緑色点灯）、釣り銭切れに起因して商品を購入するときに、釣り銭が生じないように販売機に投入すれば購入できる金種を第２の表示形態（赤色点灯）、釣り銭切れに起因して、釣り銭の払い出しが不可能であり商品を購入することができない金種は第３の表示形態（消灯）としてそれぞれ設定される。
【００２４】
そして、商品購入者は、表示器１１を参照しながら、購入商品に見合う金額の紙幣や硬貨をそれぞれの投入口３、４へ投入する（ステップＳ２）。
このとき、投入口３、４に投入された紙幣や硬貨は、紙幣・硬貨検出部１５でその投入枚数が検出される。そして、この投入枚数情報はＣＰＵ１４に伝達される。このとき販売機１に釣り銭切れがある場合、ＣＰＵ１４は、購入者に釣り銭切れであることを分かりやすく示すため、例えば図６（ａ）に示すように「１０円硬貨がただいま釣り銭切れです」等と表示する（ステップＳ３）。
【００２５】
また、紙幣投入口３と硬貨投入口４にそれぞれ投入された紙幣と硬貨の合計投入額はＣＰＵ１４で集計される。更にステップＳ１の処理で得られた販売機１が取り扱い可能な金種の情報に基づき、ＣＰＵ１４が販売可能な商品を選定する（ステップＳ４）。具体的には釣り銭の払い出しが可能となる商品をＣＰＵ１４が選定する。そして、ＣＰＵ１４は、商品購入者による商品選択釦６の押下を待つ（ステップＳ５）。
【００２６】
商品選択釦６が押下されると、ＣＰＵ１４は、ステップＳ５で選択した販売可能な商品かどうかを判定する（ステップＳ６）。販売可能であれば、ＣＰＵ１４は、販売機１の払い出し制御装置（図示せず）に商品の払い出し指令を伝達して該商品を払い出す（ステップＳ７）。この商品を払い出した後、ＣＰＵ１４は、釣り銭の金額を演算して釣り銭の払い出しがある場合、その金額を返却口８から払い出しす（ステップＳ８）。かくして、一連の処理が完了する。
【００２７】
一方、ステップＳ６で、取り扱い不可能な金種であるとＣＰＵ１４が判断した場合、ＣＰＵ１４はステップＳ５で選択された商品を販売可能とする金種の投入形態をガイダンス表示部１２に表示する。そして、ＣＰＵ１４は、相応しい金額の投入を待つ（ステップＳ９）。このときガイダンス表示部１２には、例えば図６（ａ）に示すように「１０円、５０円で釣り銭のないように投入してください」と表示される。
【００２８】
このように構成された自動販売機によれば、例えば、１０円硬貨が釣り銭切れの場合、ＣＰＵ１４は、図６（ａ）に示すように取り扱い可能な金種として１０円硬貨の表示器１１ａを緑色点灯とし、それ以外は使用制限金種として表示灯１１ｂ〜１１ｇを赤色点灯にする。このとき、商品購入者が例えば２６０円の商品を購入しようとした場合、ＣＰＵ１４は、ガイダンス表示部１２に１０円硬貨の釣り銭切れであることを表示すると共に、１０円硬貨と５０円硬貨を組み合わせて釣り銭が発生しないように投入するガイダンスをガイダンス表示部１２に表示する。
【００２９】
あるいは５００円硬貨が釣り銭切れの場合、ＣＰＵ１４は、図６（ｂ）に示すように、ガイダンス表示部１２に５００円硬貨の釣り銭切れを表示器する。また、このときＣＰＵ１４は、５００円硬貨の釣り銭切れにより２０００円札による購入ができないので、２０００円札の表示器１１ｇを消灯する（使用不可）。
このように本発明に係る自動販売機によれば、販売機１が取り扱い可能な金種を金種別表示器１１に表示するので、商品購入が可能となる金種を購入者に認識させることが可能となる。また、販売機１に収納されている釣り銭の状況をガイダンス表示部１２に表示するので、釣り銭切れに起因する商品販売の制限状況をより容易に購入者に把握させることができる。
【００３０】
更には釣り銭切れに起因して、販売が許可されない商品の購入に対しても、本発明に係る自動販売機によれば、相応しい金種の投入形態をガイダンス表示部１２に表示するので、商品購入者に適切な金種の組み合わせを考えさせる煩わしさを与えることなく商品の販売が可能となる。
このように本発明の自動販売機は、商品販売（購入）に必要な商品購入者の行動をアシストすることができるので、商品販売の機会を逃すことが防止できる。
【００３１】
尚、図７に本発明に係る金銭処理装置の別の実施形態例を示すようにガイダンス表示部を省略した簡易型として構成してもよい。この実施形態は、例えば硬貨のみによる販売を行う自動販売機に適用するとよい。
この実施形態においては、釣り銭切れや商品を購入するために相応しい金種（販売機が取り扱い可能な金種）のガイダンスを、例えば音声合成装置などで出力するように構成してもよい。
【００３２】
このように構成することで、硬貨のみの販売を行う自動販売機であっても、自動販売機の商品購入者が、購入に先立って予めどの金種の硬貨が使用可能または不可能であるかどうか、或いはどの金種の釣り銭が不足しているのかどうかという情報を得ることができる。このため、釣り銭切れに起因して自動販売機が商品の販売ができないことを商品購入者が理解し易くなり、釣り銭切れに起因する販売機会の減少を抑えることができる。
【００３３】
次に、本発明に係る別の実施形態について説明する。この実施形態は、基本的には上述した如く構成された販売機１の金種別表示部１１に釣り銭の収納状況を金種毎に表示するよう構成したものである。
この表示部１１は、ＣＰＵ１４の判断結果を受けて、金種毎に釣り銭の有／無および使用禁止を表示するものである。詳細は後述するが、表示器１１は、販売機１に収納された複数の金種毎に、予め定められた所定の枚数以上ある場合、その金種の表示器１１を緑色点灯（釣銭有り）にしたり、釣り銭切れの金種の表示器１１を赤色点灯にしたり、或いはその使用を禁止する金種の表示器１１については、その表示を消灯する等作動する。
【００３４】
また、前述した実施形態と同様に金種別表示部１１には、釣り銭切れの金種を文字情報として表示するガイダンス表示部１２が設けられている。このガイダンス表示部１２は、釣り銭切れした金種毎にその金種を文字表示するものであり、商品購入者が視覚的に理解し易くなるように構成されている。
或いは、前述した実施形態と同様に釣り銭切れに起因して、商品購入者が投入金種を選択しないと商品が購入できない場合、ＣＰＵ１４は、この商品を販売可能とする金銭の投入形態（金種）をガイダンス表示部１２にガイダンス情報として表示するよう構成されている。
【００３５】
このような釣り銭状況表示部１１およびガイダンス表示部１２を備えた販売機１の機能を、更に図８および図９にその動作を示すフローチャートを基に詳細に説明する。なお、このフローチャートには図示しないが、販売機１で販売される商品の価格は予め販売機１に設定されているものとする。また、前述した実施形態と同様に釣り銭として自動販売機が最低限保有すべき釣り銭の枚数設定がなされているものとする。
【００３６】
さて、ＣＰＵ１４は、１０円硬貨の釣り銭の有無を１０円硬貨の釣銭検出部１３ａの情報から判断する（ステップＳ１０）。ＣＰＵ１４が１０円硬貨の釣り銭があると判断した場合、釣り銭がある旨を表示するためＣＰＵ１４は、１０円硬貨の表示灯１１ａを緑色点灯にする（ステップＳ１１）。一方、ステップＳ１０で１０円硬貨が釣り銭切れであるとＣＰＵ１４が判断した場合、釣り銭切れである旨を表示するためＣＰＵ１４は、１０円硬貨の表示灯１１ａを赤色点灯にする（ステップＳ１２）。
【００３７】
次に、ＣＰＵ１４は、５０円硬貨の釣り銭の有無を５０円硬貨の釣銭検出部１３ｂの情報から判断する（ステップＳ１３）。ＣＰＵ１４が５０円硬貨の釣り銭があると判断した場合、ＣＰＵ１４は、５０円硬貨の表示灯１１ｂを緑色点灯（釣り銭あり）にする（ステップＳ１４）。一方、ステップＳ１３で５０円硬貨が釣り銭切れであるとＣＰＵ１４が判断した場合、ＣＰＵ１４は、５０円硬貨の表示灯１１ｂを赤色点灯（釣り銭切れ）にする（ステップＳ１５）。
【００３８】
更に、ＣＰＵ１４は、１００円硬貨の釣り銭の有無を１００円硬貨の釣銭検出部１３ｃの情報から判断する（ステップＳ１６）。ＣＰＵ１４が１００円硬貨の釣り銭があると判断した場合、ＣＰＵ１４は１００円硬貨の表示灯１１ｃを緑色点灯にする（ステップＳ１６）。一方、ステップＳ１６で１００円硬貨が釣り銭切れであるとＣＰＵ１４が判断した場合、ＣＰＵ１４は、１００円硬貨の表示灯１１ｃを赤色点灯にする。
【００３９】
次にＣＰＵ１４は、新５００円硬貨の釣り銭の有無を５００円硬貨の釣銭検出部１３ｄの情報から判断する（ステップＳ１９）。ＣＰＵ１４が５００円硬貨の釣り銭があると判断した場合、ＣＰＵ１４は新５００円硬貨の表示灯１１ｄを緑色点灯にする（ステップＳ２０）。ステップＳ１９で新５００円の釣り銭がないとＣＰＵ１４が判断したときは、更にＣＰＵ１４は５００円以上の商品がないかどうかを判定する（ステップＳ２１）。５００円以上の商品がある場合は、新５００円硬貨の使用を許可するが、釣り銭切れである旨新５００円硬貨の表示灯１１ｄをＣＰＵ１４が赤色点灯にする。
【００４０】
一方、ステップＳ２１で５００円以上の商品がない場合、ＣＰＵ１４は１００円硬貨の釣り銭の有無を１００円硬貨の釣銭検出部１３ｃの情報からそれぞれの硬貨の釣り銭の有無を判断する（ステップＳ２３）。１００円硬貨の釣り銭があるとＣＰＵ１４が判断したときは、新５００円硬貨の使用を許可するが、釣り銭切れである旨、ＣＰＵ１４が新５００円硬貨の表示灯１１ｄを赤色表示する（ステップＳ２２）。一方、ステップＳ２３で１００円の釣り銭がないとＣＰＵ１４が判断したときは、商品販売時に釣り銭を払い出すことができない。このため、ＣＰＵ１４は、新５００円硬貨の使用を禁止する旨、新５００円硬貨の表示灯１１ｄを消灯する。
【００４１】
尚、販売機１の管理者等から新５００円硬貨の使用を禁止する設定が予め行われた場合、ＣＰＵ１４はステップＳ１９で、その使用を禁止する旨、５００円硬貨の表示灯１１ｄを消灯する。
次に旧５００円硬貨の釣り銭有無の状態からＣＰＵ１４は、図９のフローチャートのステップＳ２６〜Ｓ３２において旧５００円硬貨の表示灯１１ｅの点灯制御を行う。尚、旧５００円硬貨の釣り銭有無に基づくＣＰＵ１４の一連の処理は、新５００円硬貨と同様であるので省略する。
【００４２】
さて、次にＣＰＵ１４は、１０００円札の釣り銭の有無を１０００円札の釣銭検出部１３ｅの情報から判断する（ステップＳ３３）。ＣＰＵ１４が１０００円札の釣り銭があると判断した場合、ＣＰＵ１４は、釣り銭有りとして１０００円札の表示灯１１ｅを緑色点灯にする（ステップＳ３４）。一方、ステップＳ３３で１０００円の釣り銭がないとＣＰＵ１４が判断したときは、更にＣＰＵ１４は１０００円以上の商品がないかどうかを判定する（ステップＳ３５）。１０００円以上の商品がある場合は、１０００円の使用を許可すると共に、１０００円札の表示灯１１ｅを赤色点灯（釣り銭切れ）にする（ステップＳ３６）。
【００４３】
一方、ステップＳ３５で１０００円以上の商品がない場合、ＣＰＵ１４は１００円硬貨および５００円硬貨の釣り銭の有無を１００円硬貨の釣銭検出部１３ｃおよび５００円硬貨の釣銭検出部１１ｄの情報から判断する（ステップＳ３７）。１００円硬貨および５００円硬貨ともそれぞれ釣り銭があるとＣＰＵ１４が判断したときは、１０００円札の使用を許可すると共に、１０００円札の釣り銭切れとして表示灯１１ｆを赤色表示する（ステップＳ３６）。一方、ステップＳ３７で１００円または５００円のいずれかまたは両方の釣り銭がないとＣＰＵ１４が判断したときは、１０００円札の使用を不可にするためＣＰＵ１４は、１０００円札の表示灯１１ｆを消灯する。
【００４４】
次にＣＰＵ１４は、２０００円以上の商品がないかどうかを判定する（ステップＳ３９）。２０００円以上の商品がある場合は、２０００円札の使用を許可すると共に、２０００円札の表示灯１１ｇを緑色点灯にする（ステップＳ４０）。
一方、ステップＳ４１で２０００円以上の商品がないとＣＰＵ１４が判断した場合、ＣＰＵ１４は１００円硬貨、５００円硬貨および１０００円札の釣り銭の有無をそれぞれの釣銭検出部１３ｃ、１３ｄ、１３ｅの情報から判断する（ステップＳ４１）。ステップＳ４１で、１００円硬貨、５００円硬貨および１０００円札のいずれの釣銭もあるとＣＰＵ１４が判断したとき、ＣＰＵ１４は、２０００円札の使用を許可するため、２０００円札の表示灯１１ｇを緑色表示にする（ステップＳ４０）。
【００４５】
尚、ステップＳ４１で、１００円硬貨、５００円硬貨および１０００円札のいずれかの釣銭がないとＣＰＵ１４が判断したときは、２０００円札の使用を禁止する旨、２０００円札の表示灯１１ｇを消灯する（ステップＳ４２）。
上述した手順により販売機１の前扉２の表示器１１に、この販売機１の釣銭がある金種（硬貨および紙幣）が第１の表示形態（緑色点灯）、釣り銭切れの金種を第２の表示形態（赤色点灯）、釣り銭切れに起因して、釣り銭の払い出しが不可能であり商品を購入することができない金種は第３の表示形態（消灯）としてそれぞれ設定される。
【００４６】
そして、商品購入者は、表示器１１を参照しながら、購入商品に見合う金額の紙幣や硬貨をそれぞれの投入口３、４へ投入する。
勿論、この実施形態においても販売機１に釣り銭切れがある場合、ＣＰＵ１４は、購入者に釣り銭切れであることを分かりやすく示すため、前述した実施形態と同様に、例えば図６（ａ）に示すように「１０円硬貨がただいま釣り銭切れです」等と表示する。また、ＣＰＵ１４は、釣り銭切れの金種がある場合は、商品購入者による商品選択釦６の押下によって商品を販売可能とする金種の投入形態をガイダンス表示部１２に表示する。
【００４７】
このように構成された自動販売機によれば、販売機１に収納されている釣銭の有無を金種別表示器１１に表示するので、商品購入に先だって予め販売機１に確保されている釣銭の状況を購入者が把握することができるので、販売可能となる金種を購入者に認識させることが可能となる。
また、販売機１に確保されている釣り銭の状況をガイダンス表示部１２に表示するので、釣り銭切れに起因する商品販売の制限状況をより容易に購入者に把握させることができる。
【００４８】
更には釣り銭切れに起因して、販売が許可されない商品の購入に対しても、本発明に係る自動販売機によれば、相応しい金種の投入形態をガイダンス表示部１２に表示するので、商品購入者に適切な金種の組み合わせを考えさせる煩わしさを催すことなく商品の販売が可能となる。
このように本発明の自動販売機は、商品販売（購入）に必要な商品購入者の行動をアシストすることができるので、商品販売の機会を逃すことが防止できる。
【００４９】
尚、上述した実施形態の他、本発明は表示器を横あるいは縦に並べたり、購入ができない金種の表示器を点滅させる等、その要旨を逸脱しない範囲で種々変形して実施することができる。
【００５０】
【発明の効果】
以上述べたように、本発明の自動販売機によれば、販売機が取り扱い可能な金種および釣り銭切れの金種が表示されるので、商品購入者がどの金種を用いれば商品を購入することができるかを予め確認することが可能となる。また、釣り銭の状況がガイダンス表示部に表示されるので、商品購入者は、釣り銭切れに起因する商品販売の制限状況をより容易に把握することが可能となる。
【００５１】
更に、釣り銭切れに起因して、投入金の金種により販売が許可されない商品の購入に対しては、相応しい金種の投入形態をガイダンス表示部に分かりやすく表示するので、商品購入者に適切な金種の組合わせを考えさせる煩わしさを与えることなく商品の販売が可能となる等の実用上多大なる効果が奏せられる。
【図面の簡単な説明】
【図１】本発明の一実施形態に係る自動販売機の外観構成を示す図。
【図２】本発明の一実施形態に係る自動販売機の金銭処理部の構成を示すブロック図。
【図３】本発明の一実施形態に係る自動販売機の表示部を示す要部拡大図。
【図４】本発明の一実施形態に係る自動販売機の金銭処理手順を示すフローチャート。
【図５】本発明の一実施形態に係る表示灯制御の処理手順を示すフローチャート。
【図６】図３に示す金銭処理装置の表示例を示す図。
【図７】本発明の別の実施形態に係る金銭処理装置の表示部を示す要部拡大図。
【図８】本発明の別の実施形態に係る表示灯制御の処理手順を示すフローチャート。
【図９】図８のフローチャートに続く表示灯制御の処理手順を示すフローチャート。
【符号の説明】
１１　　　銭状況表示部
１２　　　ガイダンス表示部
１３　　　釣銭検出部
１４　　　ＣＰＵ
１５　　　紙幣・硬貨検出部
【図１】
2004054430.tif 000003
【図２】
2004054430.tif 000004
【図３】
2004054430.tif 000005
【図４】
2004054430.tif 000006
【図５】
2004054430.tif 000007
【図６】
2004054430.tif 000008
【図７】
2004054430.tif 000009
【図８】
2004054430.tif 000010
【図９】
2004054430.tif 000011